(57)【要約】【課題】断熱材の施工が求められている場合に施工性を向上させる防水構造および、パネル同士の接合部を覆う合成樹脂シートが水流等の負担が少なく、その合成樹脂シートに剥がれや傷等が生じた場合でも漏水に繋がりにくい防水構造を提供することにある。【解決手段】鋼板の表面に合成樹脂フィルムを積層した合成樹脂フィルムラミネート鋼板を用い、断熱材を二枚の鋼板３，４で挟み込むとともにそれら二枚の鋼板のうち少なくとも屋外に向く鋼板３を前記合成樹脂フィルムラミネート鋼板として鋼製サンドイッチパネル１を形成し、複数枚の前記鋼製サンドイッチパネルの端部同士を互いに隣接させ、それらの端部の前記少なくとも屋外に向く鋼板３同士を互いに重ね合わせて前記鋼製サンドイッチパネル同士の接合部とするとともに、前記合成樹脂フィルムラミネート鋼板とした鋼板３同士の重ね合わせ部を前記合成樹脂フィルムと同一材質の防水シート６で水密に覆ってなる、建築物用防水構造である。【選択図】図３
2009121153.tif 000002
【特許請求の範囲】
【請求項１】
鋼板の表面に合成樹脂フィルムを積層した合成樹脂フィルムラミネート鋼板を用い、
断熱材を二枚の鋼板で挟み込むとともにそれら二枚の鋼板のうち少なくとも屋外に向く鋼板を前記合成樹脂フィルムラミネート鋼板として鋼製サンドイッチパネルを形成し、
複数枚の前記鋼製サンドイッチパネルの端部同士を互いに隣接させ、それらの端部の前記少なくとも屋外に向く鋼板同士を互いに重ね合わせて前記鋼製サンドイッチパネル同士の接合部とするとともに、
前記合成樹脂フィルムラミネート鋼板とした鋼板同士の重ね合わせ部を前記合成樹脂フィルムと同一材質の防水シートで水密に覆ってなる、建築物用防水構造。
【請求項２】
前記鋼製サンドイッチパネルの互いに隣接する二つの端部のうち一方の端部の前記合成樹脂フィルムラミネート鋼板を低めるとともに、他方の端部の前記合成樹脂フィルムラミネート鋼板を前記断熱材から突出させて前記一方の端部の低めた前記合成樹脂フィルムラミネート鋼板上に重ね合わせたことを特徴とする、請求項１記載の建築物用防水構造。
【請求項３】
前記鋼製サンドイッチパネルの互いに隣接する二つの端部のうち一方の端部の前記断熱材に溝部を形成し、その一方の端部の前記二枚の鋼板をそれぞれその溝部内に折り込むとともに、他方の端部の前記断熱材に前記溝部内に嵌まり合う突部を形成し、その他方の端部の前記二枚の鋼板をそれぞれその凸部に沿って折り曲げ、
前記一方の端部の溝部に前記他方の端部の突部を嵌め込んで前記一方の端部の鋼板と前記他方の端部の鋼板とを重ね合わせたことを特徴とする、請求項１記載の建築物用防水構造。
【請求項４】
前記鋼製サンドイッチパネルの互いに隣接する二つの端部のそれぞれの前記鋼板を前記断熱材から突出させてその断熱材の端面側へ折曲し、
前記折曲した鋼板同士を突き合わせて重ね合わせたことを特徴とする、請求項１記載の建築物用防水構造。
【請求項５】
鋼板の表面に合成樹脂フィルムを積層した合成樹脂フィルムラミネート鋼板を用い、
前記合成樹脂フィルムラミネート鋼板の少なくとも端部に屋外に向かって突出する突部を設けて鋼板製パネルを形成し、
複数枚の前記鋼板製パネルの端部同士を互いに隣接させ、それらの端部の前記屋外に向かって突出する突部を前記鋼板製パネル同士の接合部とするとともに、
前記鋼板製パネル同士の接合部を前記合成樹脂フィルムと同一材質の防水シートで水密に覆ってなる、建築物用防水構造。
【請求項６】
前記突部は、リブ形状またはハゼ形状をなしていることを特徴とする、請求項５記載の建築物用防水構造。
【請求項７】
前記突部は、フランジ形状をなし、芯材を介して互いに接合されていることを特徴とする、請求項５記載の建築物用防水構造。
【請求項８】
鋼板の表面に合成樹脂フィルムを積層した合成樹脂フィルムラミネート鋼板を用い、
断熱材を二枚の鋼板で挟み込むとともにそれら二枚の鋼板のうち少なくとも屋外に向く鋼板を前記合成樹脂フィルムラミネート鋼板として鋼製サンドイッチパネルを形成し、
複数枚の前記鋼製サンドイッチパネルの端部同士を互いに隣接させ、それらの端部の前記少なくとも屋外に向く鋼板同士を互いに重ね合わせて前記鋼製サンドイッチパネル同士の接合部とするとともに、
前記合成樹脂フィルムラミネート鋼板とした鋼板同士の重ね合わせ部を前記合成樹脂フィルムと同一材質の防水シートで水密に覆ってなる建築物用防水構造に用い得る、建築物用防水パネルであって、
鋼板の表面に合成樹脂フィルムを積層した合成樹脂フィルムラミネート鋼板を用い、
断熱材を二枚の鋼板で挟み込むとともにそれら二枚の鋼板のうち少なくとも屋外に向く鋼板を前記合成樹脂フィルムラミネート鋼板として鋼製サンドイッチパネルを形成したことを特徴とする、建築物用防水パネル。
【請求項９】
鋼板の表面に合成樹脂フィルムを積層した合成樹脂フィルムラミネート鋼板を用い、
前記合成樹脂フィルムラミネート鋼板の少なくとも端部に屋外に向かって突出する突部を設けて鋼板製パネルを形成し、
複数枚の前記鋼板製パネルの端部同士を互いに隣接させ、それらの端部の前記屋外に向かって突出する突部を前記鋼板製パネル同士の接合部とするとともに、
前記鋼板製パネル同士の接合部を前記合成樹脂フィルムと同一材質の防水シートで水密に覆ってなる建築物用防水構造に用い得る、建築物用防水パネルであって、
鋼板の表面に合成樹脂フィルムを積層した合成樹脂フィルムラミネート鋼板を用い、
前記合成樹脂フィルムラミネート鋼板の少なくとも端部に屋外に向かって突出する突部を設けて鋼板製パネルを形成したことを特徴とする、建築物用防水パネル。
【発明の詳細な説明】
【技術分野】
【０００１】
本発明は、防水シートを用いる建築物用の防水構造において、鋼板と防水材とが一体となったパネルを用いることにより施工性を向上させた防水構造および、その防水構造に用い得る防水パネルに関するものである。
【背景技術】
【０００２】
従来、建築物の屋根や壁等の防水構造は、屋根や壁等を建築用板材で形成した後、その建築用板材の表面に防水シートを張り渡すことで施工していたが、このような防水構造では工数が嵩んで施行性が悪いという問題があった。
【０００３】
このため近年、特許文献１に示すように、建築用板材として、鋼板の表面に合成樹脂シートを積層した積層鋼板を用いて屋根を形成し、その鋼板同士の接合部を合成樹脂シートで覆うことで施工する屋根用防水構造が提案されている。
【特許文献１】特許第３５１０１５２号
【発明の開示】
【発明が解決しようとする課題】
【０００４】
しかしながら、上記特許文献１に示された防水構造では、断熱材の施工が求められている場合にその施工を先に行なう必要があり、この点で未だ工数が嵩んで施行性が悪いという問題があった。
【０００５】
また、上記特許文献１に示された防水構造では、建築用板材としての波型パネルの底部を端部にして、その底部の端部同士を重ねて波型パネル同士の接合部とし、その接合部を覆う合成樹脂シートを両側の波型パネルの表面の合成樹脂シートに熱融着させているが、この構造では雨水が流れ込んで集まる底部に接合部があることから、接合部を覆う合成樹脂シートが雨水の水流およびその中に混じって流れる砂等の異物に晒されてその合成樹脂シートに剥がれや傷等が生じ易く、しかもその接合部を覆う合成樹脂シートに剥がれや傷等が生じた場合に直ちに漏水に繋がるという問題があった。
【０００６】
それゆえ本発明者らは、断熱材の施工が求められている場合に施工性を向上させる防水構造および、パネル同士の接合部を覆う合成樹脂シートが水流等の負担が少なく、その合成樹脂シートに剥がれや傷等が生じた場合でも漏水に繋がりにくい防水構造について鋭意検討を進めた結果、本発明の防水構造およびその防水構造用パネルを完成したものである。
【課題を解決するための手段】
【０００７】
すなわち、本発明の建築物用防水構造は、鋼板の表面に合成樹脂フィルムを積層した合成樹脂フィルムラミネート鋼板を用い、断熱材を二枚の鋼板で挟み込むとともにそれら二枚の鋼板のうち少なくとも屋外に向く鋼板を前記合成樹脂フィルムラミネート鋼板として鋼製サンドイッチパネルを形成し、複数枚の前記鋼製サンドイッチパネルの端部同士を互いに隣接させ、それらの端部の前記少なくとも屋外に向く鋼板同士を互いに重ね合わせて前記鋼製サンドイッチパネル同士の接合部とするとともに、前記合成樹脂フィルムラミネート鋼板とした鋼板同士の重ね合わせ部を前記合成樹脂フィルムと同一材質の防水シートで水密に覆ったことを特徴とするものである。
【０００８】
また、本発明の他の建築物用防水構造は、鋼板の表面に合成樹脂フィルムを積層した合成樹脂フィルムラミネート鋼板を用い、前記合成樹脂フィルムラミネート鋼板の少なくとも端部に屋外に向かって突出する突部を設けて鋼板製パネルを形成し、複数枚の前記鋼板製パネルの端部同士を互いに隣接させ、それらの端部の前記屋外に向かって突出する突部を前記鋼板製パネル同士の接合部とするとともに、前記鋼板製パネル同士の接合部を前記合成樹脂フィルムと同一材質の防水シートで水密に覆ったことを特徴とするものである。
【０００９】
そして、本発明の前者の建築物用防水構造に用い得る本発明の建築物用防水パネルは、鋼板の表面に合成樹脂フィルムを積層した合成樹脂フィルムラミネート鋼板を用い、断熱材を二枚の鋼板で挟み込むとともにそれら二枚の鋼板のうち少なくとも屋外に向く鋼板を前記合成樹脂フィルムラミネート鋼板として鋼製サンドイッチパネルを形成したことを特徴とするものである。
【００１０】
また、本発明の後者の建築物用防水構造に用い得る本発明の他の建築物用防水パネルは、鋼板の表面に合成樹脂フィルムを積層した合成樹脂フィルムラミネート鋼板を用い、前記合成樹脂フィルムラミネート鋼板の少なくとも端部に屋外に向かって突出する突部を設けて鋼板製パネルを形成したことを特徴とするものである。
【発明の効果】
【００１１】
本発明の前者の建築物用防水構造によれば、断熱材を二枚の鋼板で挟み込んだ鋼製サンドイッチパネルを用いるとともに、その二枚の鋼板のうち少なくとも屋外に向く鋼板を、表面に合成樹脂フィルムを積層してその表面を覆った合成樹脂フィルムラミネート鋼板としていることから、建築物の屋根や壁等を設ける所定位置に、合成樹脂フィルムラミネート鋼板を屋外に向けて鋼製サンドイッチパネルを並べて取付け、鋼製サンドイッチパネルの端部の鋼板同士の重ね合わせ部を防水シートで水密に覆うだけで断熱材を含む屋根や壁を施工することができるので、断熱材の施工が求められている場合の施工性を従来よりも大幅に向上させることができる。しかも、下地材と断熱材と防水材とを一体構成することで、施工スピードを向上させつつ品質の確保を容易に行うことができる。
【００１２】
従って本発明の前者の建築物用防水構造によれば、一般の防水工法と同じレベルの防水屋根を効率的に構成することができる。また、防水材が鋼板にラミネートされているため防水材を薄くすることができ、これにより可燃物量が低減できるため、不燃性能を向上させることができる。さらに、従来の防水シート材に比べて防水材が鋼板にラミネートされていることで、防水層の破損により屋根の防水性能を損ねる事態を防止することができる。そして、鋼製サンドイッチパネルの端部の鋼板同士の平坦な重ね合わせ部を防水シートで水密に覆うので、防水シートが水流等の負担が少なく、その防水シートに例え剥がれや傷等が生じた場合でも漏水に繋がりにくくすることができる。
【００１３】
なお、本発明の前者の建築物用防水構造においては、前記鋼製サンドイッチパネルの互いに隣接する二つの端部のうち一方の端部の前記合成樹脂フィルムラミネート鋼板を低めるとともに、他方の端部の前記合成樹脂フィルムラミネート鋼板を前記断熱材から突出させて前記一方の端部の低めた前記合成樹脂フィルムラミネート鋼板上に重ね合わせるようにしても良く、このようにすれば、鋼製サンドイッチパネル同士の接合部の表面を平坦にすることができる。
【００１４】
また、本発明の前者の建築物用防水構造においては、前記鋼製サンドイッチパネルの互いに隣接する二つの端部のうち一方の端部の断熱材に溝部を形成し、その一方の端部の二枚の鋼板をそれぞれその溝部内に折り込むとともに、他方の端部の断熱材に前記溝部内に嵌まり合う突部を形成し、その他方の端部の二枚の鋼板をそれぞれその凸部に沿って折り曲げ、前記一方の端部の溝部に前記他方の端部の突部を嵌め込んで前記一方の端部の鋼板と前記他方の端部の鋼板とを重ね合わせるようにしても良く、このようにすれば、鋼製サンドイッチパネル同士の接合部の表面を平坦にすることができるのに加えて、鋼製サンドイッチパネル同士を互いに仮固定することができる。
【００１５】
さらに本発明の前者の建築物用防水構造においては、前記鋼製サンドイッチパネルの互いに隣接する二つの端部のそれぞれの鋼板を前記断熱材から突出させてその断熱材の端面側へ折曲し、それら折曲した鋼板同士を突き合わせて重ね合わせるようにしても良く、このようにすれば、鋼製サンドイッチパネル同士の接合部の表面を平坦にすることができるのに加えて、その突き合わせた鋼板端部を溝形部材で保持することで鋼製サンドイッチパネル同士を仮固定することができる。
【００１６】
一方、本発明の後者の建築物用防水構造によれば、鋼板の表面に合成樹脂フィルムを積層してその表面を覆った合成樹脂フィルムラミネート鋼板を用い、その合成樹脂フィルムラミネート鋼板の少なくとも端部に屋外に向かって突出する突部を設けて鋼板製パネルを形成していることから、建築物の屋根や壁等を設ける所定位置に、合成樹脂フィルムを屋外に向けて鋼板製パネルを並べて取付け、屋外に向かって突出する突部である鋼板製パネル同士の接合部を防水シートで覆うだけで断熱材を含む屋根や壁を施工できるので、施工性を従来よりも大幅に向上させることができる。しかも、下地材と防水材とを一体構成することで、施工スピードを向上させつつ品質の確保を容易なものとすることができる。
【００１７】
従って本発明の後者の建築物用防水構造によれば、一般の防水工法と同じレベルの防水屋根を効率的に構成することができる。また、防水材が鋼板にラミネートされているため防水材を薄くすることができ、これにより可燃物量が低減できるため不燃性能を向上させることができる。さらに、従来の防水シート材に比べて防水材が鉄板にラミネートされていることで、防水層の破損により屋根の防水性能を損ねる事態を防止することができる。そして、屋外に向かって突出する突部である鋼板製パネル同士の接合部を防水シートで水密に覆うので、防水シートが水流等の負担が少なく、その防水シートに例え剥がれや傷等が生じた場合でも漏水に繋がりにくくすることができる。
【００１８】
なお、本発明の後者の建築物用防水構造においては、前記突部は、リブ形状またはハゼ形状をなしていても良く、これらの形状によれば、パネル同士を嵌め合わせて強固に接合することができる。
【００１９】
また、本発明の後者の建築物用防水構造においては、前記突部は、フランジ形状をなし、芯材を介して互いに接合されていても良く、このようにすれば、簡易な加工で防水構造を形成することができる。
【発明を実施するための最良の形態】
【００２０】
以下、本発明の実施の形態を実施例によって、図面に基づき詳細に説明する。ここに、図１は、本発明の建築物用防水構造に用い得る、本発明の建築物用防水パネルの第１実施形態の基本構造を示す、パネルの一部の断面図であり、図中符号１で示すこの第１実施形態の建築物用防水パネルは、通常のサンドイッチパネルと同様に断熱材２を二枚の鋼板３，４で挟み込んだ構造をなすとともに、それら二枚の鋼板３，４のうち屋外に向く鋼板３に、鋼板表面に防水材としての合成樹脂フィルム５を積層してその鋼板表面を覆った合成樹脂フィルムラミネート鋼板を使用し、その合成樹脂フィルム５を外向きに露出させている。なお、合成樹脂フィル５としては、例えば塩素等のハロゲン元素を含まない熱可塑性ポリオレフィン（ＴＰＯ）製のフィルムを用いる。また、この第１実施形態の建築物用防水パネル１の厚さは、例えば図示のように５０ｍｍとする。
【００２１】
図２（ａ）〜（ｄ）は、この第１実施形態の建築物用防水パネル１の具体的な形状例を示す、パネルの一部の断面図であり、図２（ａ）は表面、裏面とも平坦な平滑板タイプ、図２（ｂ）は表面に小さくて浅い凹み（エンボス）１ａが分散して設けられたエンボスタイプ、図２（ｃ）は表面に溝１ｂが設けられた溝付きタイプ、図２（ｄ）は裏面にリブ山１ｃが設けられたリブ山タイプをそれぞれ示している。
【００２２】
図３（ａ）〜（ｃ）は、この第１実施形態の建築物用防水パネル１を用いた、本発明の建築物用防水構造の第１実施形態の三種類の実施例を示す、パネルの端部の接合部の断面図、図４（ａ）〜（ｃ）は、それら三種類の実施例の建築物用防水構造の施工方法をそれぞれ示す説明図であり、図３（ａ）に示す実施例の建築物用防水構造では、図４（ａ）に示すように、図２（ｄ）に示すリブ山タイプの建築物用防水パネル１の一端部（図では右側の防水パネル１の左端部）で、表側の鋼板３にその鋼板３の板厚二枚分中央寄り部分の表面より低くなった段部３ａを形成するとともに、裏側の鋼板４を断熱材２の端部よりも突出させてリブ１ｃに掛かる突出部４ａを形成し、また図２（ｄ）に示すリブ山タイプの建築物用防水パネル１の他端部（図では左側の防水パネル１の右端部）で、表側の鋼板３を断熱材２の端部よりも突出させて段部３ａ内に収まる長さで内側に二つ折りにして突出部３ｂを形成するとともに、裏側の鋼板４を断熱材２の端部よりも短くしてリブ１ｃに掛かるように形成している。
【００２３】
そして図３（ａ）に示す実施例の建築物用防水構造の施工の際には、このリブ山タイプの建築物用防水パネル１を図示しない建築物の例えば屋根の母屋上に複数枚、上記一端部および他端部が水平に対し傾斜して上下方向へ延在する向きで、鋼板３側を建築物の外部に向けて並べて、それらの建築物用防水パネル１の上記一端部と他端部とを互いに隣接させ、図４（ａ）に矢印で示すように、上記他端部のリブ１ｃを上記一端部の鋼板４の突出部４ａに重ね合わせるとともに、上記他端部の鋼板３の突出部３ｂを上記一端部の鋼板３の段部３ａに重ね合わせる。次いで、その鋼板３の突出部３ｂと段部３ａとの重ね合わせ部分から図示しないねじ部材を断熱材２および鋼板４に貫通させて、そのねじ部材により左右の建築物用防水パネル１を上記母屋上に固定する。そして、そのねじ部材および左右の建築物用防水パネル１の接合部すなわち鋼板３の突出部３ｂと段部３ａとの重ね合わせ部分を覆うように、この第１実施形態の建築物用防水パネル１の合成樹脂フィルム５と同じ材質、例えばＴＰＯ製の防水シート６を配置し、その防水シート６の両端部を例えば熱風での熱融着により、左右の建築物用防水パネル１の鋼板３の表面の合成樹脂フィルム５に水密に固着する。
【００２４】
この実施例の建築物用防水構造によれば、上記のように建築物の屋根等の所定位置に、鋼板３の合成樹脂フィルム５を屋外に向けて建築物用防水パネル１を並べて取付け、建築物用防水パネル１の端部の鋼板３，４同士の重ね合わせ部を防水シート６で水密に覆うだけで断熱材２を含む屋根等を施工することができるので、断熱材の施工が求められている場合の施工性を従来よりも大幅に向上させることができる。しかも、下地材としての鋼板３，４と断熱材２と防水材としての防水フィルム５とを一体構成することで、施工スピードを向上させつつ品質の確保を容易に行うことができる。
【００２５】
従ってこの実施例の建築物用防水構造によれば、一般の防水工法と同じレベルの防水屋根を効率的に構成することができる。また、防水材としての防水フィルム５が鋼板にラミネートされているため防水材を薄くすることができ、これにより可燃物量が低減できるため、不燃性能を向上させることができる。さらに、従来の防水シート材に比べて防水材としての防水フィルム５が鋼板にラミネートされていることで、防水層の破損により屋根等の防水性能を損ねる事態を防止することができる。しかも、左右の建築物用防水パネル１の表側の鋼板３の突出部３ｂと段部３ａとを重ね合わせているので、建築物用防水パネル１同士の接合部の表面を平坦にすることができる。そして、鋼製サンドイッチパネルである建築物用防水パネル１の端部の鋼板同士の平坦な重ね合わせ部を防水シート６で水密に覆うので、防水シート６が水流等の負担が少なく、その防水シート６に例え剥がれや傷等が生じた場合でも漏水に繋がりにくくすることができる。
【００２６】
また、図３（ｂ）に示す実施例の建築物用防水構造では、図４（ｂ）に示すように、図２（ａ）に示す平滑板タイプ、図２（ｂ）に示すエンボスタイプ、図２（ｃ）に示す溝付きタイプの何れかの建築物用防水パネル１の一端部（図では左側の防水パネル１の右端部）で、断熱材２に断面コ字状の溝部２ａを形成し、その一端部の二枚の鋼板３，４をそれぞれその溝部２ａ内に折り込んで、それら折り込んだ端部３ｃ，４ｂを溝部２ａ内に固定し、またその建築物用防水パネル１の他端部（図では右側の防水パネル１の左端部）で、断熱材２に溝部２ａ内に嵌まり合う突部２ｂを形成し、その他端部の二枚の鋼板３，４をそれぞれその突部２ｂに沿って折り曲げて、それら折り曲げた端部３ｄ，４ｃを突部２ｂに固定している。
【００２７】
そして図３（ｂ）に示す実施例の建築物用防水構造の施工の際には、この建築物用防水パネル１を図示しない建築物の例えば屋根の母屋上に複数枚、上記一端部および他端部が水平に対し傾斜して上下方向へ延在する向きで、鋼板３側を建築物の外部に向けて並べて、それらの建築物用防水パネル１の上記一端部と他端部とを互いに隣接させ、図４（ｂ）に矢印で示すように、上記一端部の溝部２ａに上記他端部の突部２ｂを嵌め込んでそれら一端部の鋼板３，４の端部３ｃ，４ｂと他端部の鋼板３，４の端部３ｄ，４ｃとを重ね合わせる。次いで、その溝部２ａと突部２ｂとの嵌め合わせ部分で図示しないねじ部材を鋼板３、断熱材２および鋼板４に貫通させて、そのねじ部材により左右の建築物用防水パネル１を上記母屋上に固定する。そして、そのねじ部材および左右の建築物用防水パネル１の接合部すなわち溝部２ａと突部２ｂとの嵌め合わせ部分を覆うように、この第１実施形態の建築物用防水パネル１の合成樹脂フィルム５と同じ材質、例えばＴＰＯ製の防水シート６を配置し、その防水シート６の両端部を例えば熱風での熱融着により、左右の建築物用防水パネル１の鋼板３の表面の合成樹脂フィルム５に水密に固着する。
【００２８】
この実施例の建築物用防水構造によれば、最初の実施例と同様の作用効果が得られるのに加えて、一端部の溝部２ａに他端部の突部２ｂを嵌め合わせているので、屋根の母屋への固定前に建築物用防水パネル１同士を互いに仮固定することができる。
【００２９】
さらに、図３（ｃ）に示す実施例の建築物用防水構造では、図４（ｃ）に示すように、図２（ａ）に示す平滑板タイプ、図２（ｂ）に示すエンボスタイプ、図２（ｃ）に示す溝付きタイプの何れかの建築物用防水パネル１の一端部（図では左側の防水パネル１の右端部）で、表側の鋼板３のみ断熱材２の端部から突出させて内側に二つ折りにし、それをさらに中間部で内向き（図では下向き）に折曲してＬ字状の突出部３ｅを形成し、またその建築物用防水パネル１の他端部（図では右側の防水パネル１の左端部）でも、表側の鋼板３のみ断熱材２の端部から突出させて内側に二つ折りにし、それをさらに中間部で内向き（図では下向き）に折曲してＬ字状の突出部３ｅを形成している。
【００３０】
そして図３（ｃ）に示す実施例の建築物用防水構造の施工の際には、この建築物用防水パネル１を図示しない建築物の例えば屋根の母屋上に複数枚、上記一端部および他端部が水平に対し傾斜して上下方向へ延在する向きで、鋼板３側を建築物の外部に向けて並べて、それらの建築物用防水パネル１の上記一端部と他端部とを互いに隣接させ、図４（ｂ）に示すように、上記一端部の鋼板３のＬ字状の突出部３ｅと他端部の鋼板３のＬ字状の突出部３ｅとの図では垂直な互いに向き合う部分同士を突き合わせて重ね合わせ、それら突き合わせた垂直な部分を、上記母屋上に固定して建築物用防水パネル１の上記一端部と他端部との間に挿入した図示しない溝形部材で保持する。次いで、上記Ｌ字状の突出部３ｅの図では水平な部分で図示しないねじ部材を鋼板３に貫通させて、そのねじ部材により左右の建築物用防水パネル１を上記溝形部材に固定する。そして、図４（ｂ）に矢印で示す如く、そのねじ部材および左右の建築物用防水パネル１の接合部すなわち互いに突き合わせた左右のＬ字状の突出部３ｅを覆うように、この第１実施形態の建築物用防水パネル１の合成樹脂フィルム５と同じ材質、例えばＴＰＯ製の防水シート６を配置し、その防水シート６の両端部を例えば熱風での熱融着により、左右の建築物用防水パネル１の鋼板３の表面の合成樹脂フィルム５に水密に固着する。
【００３１】
この実施例の建築物用防水構造によれば、最初の実施例と同様の作用効果が得られるのに加えて、Ｌ字状の突出部３ｅの突き合わせた垂直な部分を溝形部材で母屋上に保持しているので、二番目の実施例と同様、屋根の母屋への固定前に建築物用防水パネル１同士を互いに仮固定することができる。
【００３２】
図５（ａ）〜（ｄ）は、本発明の建築物用防水構造に用い得る、本発明の建築物用防水パネルの第２実施形態の具体的な形状例を示すパネルの断面図であり、図中符号１１で示すこの第２実施形態の建築物用防水パネルは、表面を防水材としての合成樹脂フィルムで覆った合成樹脂フィルムラミネート鋼板で形成しており、その合成樹脂フィルムを外向きに露出させている。なお、この合成樹脂フィルとしては、第１実施形態の建築物用防水パネル１の鋼板３と同様、例えば塩素等のハロゲン元素を含まない熱可塑性ポリオレフィン（ＴＰＯ）製のフィルムを用いる。ここに、図５（ａ）は両端部にリブ形状の半部を持つとともにその半部の頂部にハゼ形状が設けられたハゼ形状タイプ、図５（ｂ）は両端部および中間部にリブ形状を持つ幅広リブ形状タイプ、図５（ｃ）は両端部のみにリブ形状の半部を持つ幅狭リブ形状タイプ、図２（ｄ）は両端部に外部向に曲げられた垂直なフランジ部を持つ平坦タイプをそれぞれ示している。
【００３３】
図６（ａ）〜（ｄ）は、この第２実施形態の建築物用防水パネル１１を用いた、本発明の建築物用防水構造の第２実施形態の四種類の実施例を示す、パネルの端部の接合部の断面図、図７（ａ）〜（ｄ）は、それら四種類の実施例のうち図６（ａ）に示す実施例の建築物用防水構造の施工方法を示す説明図であり、図６（ａ）に示す実施例の建築物用防水構造の施工の際には、図５（ａ）に示すハゼ形状タイプの建築物用防水パネル１１を、図７（ｃ）に示すように、建築物の例えば屋根の母屋１２上に断熱材２を介して複数枚、幅方向の一端部および他端部が水平に対し傾斜して上下方向へ延在する向きで、合成樹脂フィルム側を建築物の外部に向けて並べて、図７（ａ）に示すように、そのハゼ形状タイプの建築物用防水パネル１１の幅方向の一端部（図では右側の防水パネル１１の左端部）に形成されたリブ形状の半部１１ａおよびその半部１１ａの頂部に設けられた外側ハゼ形状１１ｂと、そのハゼ形状タイプの建築物用防水パネル１１の幅方向の他端部（図では左側の防水パネル１１の右端部）に形成されたリブ形状の半部１１ｃおよびその半部１１ｃの頂部に設けられた内側ハゼ形状１１ｄとを隣接させ、その外側ハゼ形状１１ｂの内側に内側ハゼ形状１１ｄを嵌め合わせてから、例えばモータで対向するローラを互いに逆向きに回転させて外側ハゼ形状１１ｂとその内側の内側ハゼ形状１１ｄとをローラ間に挟み込みながらそれらのハゼ形状に沿って移動する図示しない電動パネルシーマーで、図７（ｂ）に示すように、外側ハゼ形状１１ｂとその内側の内側ハゼ形状１１ｄとを潰して互いに結合し、左右の建築物用防水パネル１１を接合する。
【００３４】
また、図７（ｃ）に示すように、屋根の母屋１２上に固定金具１３を固定しておき、その固定金具１３の先端部を外側ハゼ形状１１ｂと内側ハゼ形状１１ｄとの間に差し込んでおくことで、外側ハゼ形状１１ｂと内側の内側ハゼ形状１１ｄとを潰して互いに結合する際にそこに固定金具１３も一緒に結合することで、左右の建築物用防水パネル１１を屋根の母屋１２に固定する。そして、図７（ｄ）に示すように、その左右の建築物用防水パネル１１の接合部すなわち外側ハゼ形状１１ｂと内側ハゼ形状１１ｄとを覆うように、この第２実施形態の建築物用防水パネル１１の合成樹脂フィルムと同じ材質、例えばＴＰＯ製の防水シート６を配置し、その防水シート６の両端部を例えば熱風での熱融着により、左右の建築物用防水パネル１１の合成樹脂フィルムに水密に固着する。なお、図中符号６ａは熱融着部を示している。
【００３５】
この実施例の建築物用防水構造によれば、上記のように建築物の屋根等の所定位置に、合成樹脂フィルムを屋外に向けて建築物用防水パネル１１を並べて取付け、建築物用防水パネル１１の端部同士の接合部を防水シート６で水密に覆うだけで屋根等を施工することができるので、施工性を従来よりも大幅に向上させることができる。下地材としての鋼板と防水材としての防水フィルムとを一体構成することで、施工スピードを向上させつつ品質の確保を容易なものとすることができる。
【００３６】
従ってこの実施例の建築物用防水構造によれば、一般の防水工法と同じレベルの防水屋根を効率的に構成することができる。また、防水材としての防水フィルムが鋼板にラミネートされているため防水材を薄くすることができ、これにより可燃物量が低減できるため、不燃性能を向上させることができる。さらに、従来の防水シート材に比べて防水材としての防水フィルムが鋼板にラミネートされていることで、防水層の破損により屋根等の防水性能を損ねる事態を防止することができる。そして、屋外に向かって突出する突部である鋼板製パネル同士の接合部すなわち外側ハゼ形状１１ｂと内側ハゼ形状１１ｄとを防水シート６で覆うので、防水シート６が水流等の負担が少なく、その防水シート６に例え剥がれや傷等が生じた場合でも漏水に繋がりにくくすることができる。しかも、左右の建築物用防水パネル１１の外側ハゼ形状１１ｂと内側ハゼ形状１１ｄとを嵌め合わせているので、それらの建築物用防水パネル１１同士を強固に接合することができる。
【００３７】
図８（ａ）〜（ｄ）は、上記四種類の実施例のうち図６（ｂ）に示す実施例の建築物用防水構造の施工方法を示す説明図であり、図６（ｂ）に示す実施例の建築物用防水構造の施工の際には、図５（ｂ）に示す幅広リブ形状タイプの建築物用防水パネル１１を、図８（ｃ）に示すように、建築物の例えば屋根の母屋１２上に断熱材２を介して複数枚、幅方向の一端部および他端部が水平に対し傾斜して上下方向へ延在する向きで、合成樹脂フィルム側を建築物の外部に向けて並べて、図８（ａ）に示すように、その幅広リブ形状タイプの建築物用防水パネル１１の幅方向の一端部（図では右側の防水パネル１１の左端部）に形成された上側リブ形状１１ｅと、その幅広リブ形状タイプの建築物用防水パネル１１の幅方向の他端部（図では左側の防水パネル１１の右端部）に形成された下側リブ形状１１ｆとを隣接させ、図８（ｂ）に示すように、上側リブ形状１１ｅを下側リブ形状１１ｆに上から嵌めて重ね合わせる。
【００３８】
また、図８（ｃ）に示すように、屋根の母屋１２上に、幅広リブ形状タイプの建築物用防水パネル１１の各リブに対応する突部１４ａを持つ帯状の板であるタイトフレーム１４を固定しておき、そのタイトフレーム１４の突部１４ａに上記左右の建築物用防水パネル１１の端部の互いに重ね合わせた上側リブ形状１１ｅと下側リブ形状１１ｆとを嵌め合わせ、それら互いに重ね合わせた上側リブ形状１１ｅと下側リブ形状１１ｆとにねじ部材１５を貫通させて、そのねじ部材１５により左右の建築物用防水パネル１１を上記タイトフレーム１４の突部１４ａに固定する。そして、図８（ｄ）に示す如く、そのねじ部材１５および左右の建築物用防水パネル１１の接合部すなわち互いに重ね合わせた上側リブ形状１１ｅと下側リブ形状１１ｆとの継ぎ目を覆うように、この第２実施形態の建築物用防水パネル１１の合成樹脂フィルムと同じ材質、例えばＴＰＯ製の防水シート６を配置し、その防水シート６の両端部を例えば熱風での熱融着により、左右の建築物用防水パネル１１の表面の合成樹脂フィルムに、図では右側の建築物用防水パネル１１に対しては上側リブ形状１１ｅの頂部に対し、また図では左側の建築物用防水パネル１１に対しては下側リブ形状１１ｆの基部に対しそれぞれ水密に固着する。なお、図中符号６ａは熱融着部を示している。
【００３９】
この実施例の建築物用防水構造によれば、少なくとも防水シート６の一端部を、屋外に向かって突出する突部であるリブ形状の頂部に水密に固定するので、最初の実施例と同様の作用効果を得ることができる。
【００４０】
図６（ｃ）に示す実施例の建築物用防水構造の施工の際には、図５（ｃ）に示す幅狭リブ形状タイプの建築物用防水パネル１１を、図８（ｃ）に示す先の実施例と同様、建築物の例えば屋根の母屋１２上に断熱材２を介して複数枚、幅方向の一端部および他端部が水平に対し傾斜して上下方向へ延在する向きで、合成樹脂フィルム側を建築物の外部に向けて並べて、その幅狭リブ形状タイプの建築物用防水パネル１１の幅方向の一端部（図６（ｃ）では右側の防水パネル１１の左端部）に形成されたリブ形状の半部１１ａと、その幅狭リブ形状タイプの建築物用防水パネル１１の幅方向の他端部（図６（ｃ）では左側の防水パネル１１の右端部）に形成されたリブ形状の半部１１ｃとを隣接させ、図６（ｃ）の右上部にそれらの半部１１ａ，１１ｃの頂部を拡大して示すように、上記一端部のリブ形状の半部１１ａを上記他端部のリブ形状の半部１１ｃに上から嵌めて重ね合わせる。
【００４１】
また、図８（ｃ）に示す先の実施例と同様、屋根の母屋１２上に、幅狭リブ形状タイプの建築物用防水パネル１１の各リブ形状の半部に対応する突部１４ａを持つ帯状の板であるタイトフレーム１４を固定しておき、そのタイトフレーム１４の突部１４ａに上記左右の建築物用防水パネル１１の端部の互いに重ね合わせたリブ形状１１ｅと下側リブ形状１１ｆとを嵌め合わせ、それら互いに重ね合わせたリブ形状の半部１１ａと半部１１ｃとにねじ部材１５を貫通させて、そのねじ部材１５により左右の建築物用防水パネル１１を上記タイトフレーム１４の突部１４ａに固定する。そして、上記のように図６（ｃ）の右上部に拡大して示す如く、そのねじ部材１５および左右の建築物用防水パネル１１の接合部すなわち互いに重ね合わせたリブ形状の半部１１ａと半部１１ｃとの継ぎ目を覆うように、この第２実施形態の建築物用防水パネル１１の合成樹脂フィルムと同じ材質、例えばＴＰＯ製の防水シート６を配置し、その防水シート６の両端部を例えば熱風での熱融着により、左右の建築物用防水パネル１１の表面の合成樹脂フィルムにリブ形状の半部１１ａと半部１１ｃとの頂部の位置で水密に固着する。なお、図中符号６ａは熱融着部を示している。
【００４２】
この実施例の建築物用防水構造によれば、防水シート６の両端部を、屋外に向かって突出する突部であるリブ形状の頂部に水密に固定するので、最初の実施例と同様の作用効果を得ることができる。
【００４３】
図６（ｄ）に示す実施例の建築物用防水構造の施工の際には、図５（ｄ）に示す平坦タイプの建築物用防水パネル１１を、図７（ｃ）に示す先の実施例と同様、建築物の例えば屋根の母屋１２上に複数枚、幅方向の一端部および他端部が水平に対し傾斜して上下方向へ延在する向きで、合成樹脂フィルム側を建築物の外部に向けて並べて、その平坦タイプの建築物用防水パネル１１の幅方向の一端部（図６（ｄ）では右側の防水パネル１１の左端部）を外部向に垂直に曲げられるとともに先端を返し曲げ処理されて形成されたフランジ部１１ｇと、その平坦タイプの建築物用防水パネル１１の幅方向の他端部（図６（ｄ）では左側の防水パネル１１の右端部）を外部向に垂直に曲げられるとともに先端を返し曲げ処理されて形成されたフランジ部１１ｈとを図６（ｄ）に示すように互いに隣接（ここでは近接）させる。
【００４４】
また、図７（ｃ）に示すと同様の屋根の母屋１２上に、図９に示す如き、ハット形断面形状の鋼材からなる垂木１６を、水平に対し傾斜して上下方向へ延在する向きで固定しておき、その垂木１６の左右側面に上記左右の建築物用防水パネル１１の端部のフランジ部１１ｇ，１１ｈを当接させ、それらのフランジ部１１ｇ，１１ｈにそれぞれねじ部材１５を貫通させて、それらのねじ部材１５により左右の建築物用防水パネル１１を上記垂木１６に固定する。そして、図９に矢印で示す如く、そのねじ部材１５および左右の建築物用防水パネル１１の接合部すなわちフランジ部１１ｇ，１１ｈを覆うように、この第２実施形態の建築物用防水パネル１１の合成樹脂フィルムと同じ材質、例えばＴＰＯ製の防水シート６を配置し、その防水シート６の両端部を例えば熱風での熱融着により、左右の建築物用防水パネル１１の表面の合成樹脂フィルムにフランジ部１１ｇ，１１ｈの基部の位置で水密に固着する。
【００４５】
この実施例の建築物用防水構造によれば、防水シート６の両端部を、建築物用防水パネル１１の平坦部に水密に固定するので、最初の実施例と同様の作用効果を得ることができる。
【００４６】
以上，図示例に基づき説明したが、この発明は上述の例に限定されるものでなく、特許請求の範囲の記載範囲内で適宜変更し得るものであり、例えば、図３（ｂ），（ｃ）に示す防水構造を図２（ｄ）に示す建築物用防水パネル１に用いても良く、また図６（ｃ）に示す防水構造を図５（ｂ）に示す建築物用防水パネル１１に、あるいは図６（ｂ）に示す防水構造を図５（ｃ）に示す建築物用防水パネル１１に用いても良い。そして、図面中に示す寸法はあくまで例示であり、所要に応じて適宜変更することができる。さらに、建築物用防水パネル１の裏側の鋼板４も、合成樹脂フィルムラミネート鋼板としても良く、また建築物用防水パネル１１の両面に合成樹脂フィルムを積層してラミネート鋼板としても良い。
【産業上の利用可能性】
【００４７】
かくして本発明の前者の建築物用防水構造によれば、建築物の屋根や壁等を設ける所定位置に、合成樹脂フィルムラミネート鋼板を屋外に向けて鋼製サンドイッチパネルを並べて取付け、鋼製サンドイッチパネルの端部の鋼板同士の重ね合わせ部を防水シートで水密に覆うだけで断熱材を含む屋根や壁を施工することができるので、断熱材の施工が求められている場合の施工性を従来よりも大幅に向上させることができる。しかも、下地材と断熱材と防水材とを一体構成することで、施工スピードを向上させつつ品質の確保を容易に行うことができる。
【００４８】
従って本発明の前者の建築物用防水構造によれば、一般の防水工法と同じレベルの防水屋根を効率的に構成することができる。また、防水材が鋼板にラミネートされているため防水材を薄くすることができ、これにより可燃物量が低減できるため、不燃性能を向上させることができる。さらに、従来の防水シート材に比べて防水材が鋼板にラミネートされていることで、防水層の破損により屋根の防水性能を損ねる事態を防止することができる。そして、鋼製サンドイッチパネルの端部の鋼板同士の平坦な重ね合わせ部を防水シートで水密に覆うので、防水シートが水流等の負担が少なく、その防水シートに例え剥がれや傷等が生じた場合でも漏水に繋がりにくくすることができる。
【００４９】
また、本発明の後者の建築物用防水構造によれば、鋼板の表面に合成樹脂フィルムを積層した合成樹脂フィルムラミネート鋼板を用い、その合成樹脂フィルムラミネート鋼板の少なくとも端部に屋外に向かって突出する突部を設けて鋼板製パネルを形成していることから、建築物の屋根や壁等を設ける所定位置に、合成樹脂フィルムを屋外に向けて鋼板製パネルを並べて取付け、屋外に向かって突出する突部である鋼板製パネル同士の接合部を防水シートで覆うだけで断熱材を含む屋根や壁を施工できるので、施工性を従来よりも大幅に向上させることができる。しかも、下地材と防水材とを一体構成することで、施工スピードを向上させつつ品質の確保を容易なものとすることができる。
【００５０】
従って本発明の後者の建築物用防水構造によれば、一般の防水工法と同じレベルの防水屋根を効率的に構成することができる。また、防水材が鋼板にラミネートされているため防水材を薄くすることができ、これにより可燃物量が低減できるため不燃性能を向上させることができる。さらに、従来の防水シート材に比べて防水材が鉄板にラミネートされていることで、防水層の破損により屋根の防水性能を損ねる事態を防止することができる。そして、屋外に向かって突出する突部である鋼板製パネル同士の接合部を防水シートで水密に覆うので、防水シートが水流等の負担が少なく、その防水シートに例え剥がれや傷等が生じた場合でも漏水に繋がりにくくすることができる。
【図面の簡単な説明】
【００５１】
【図１】本発明の建築物用防水構造に用い得る、本発明の建築物用防水パネルの第１実施形態の基本構造を示す、パネルの一部の断面図である。
【図２】（ａ）〜（ｄ）は、この第１実施形態の建築物用防水パネル１の具体的な形状例を示す、パネルの一部の断面図である。
【図３】（ａ）〜（ｃ）は、上記第１実施形態の建築物用防水パネル１を用いた、本発明の建築物用防水構造の第１実施形態の三種類の実施例を示す、パネルの端部の接合部の断面図である。
【図４】（ａ）〜（ｃ）は、上記三種類の実施例の建築物用防水構造の施工方法をそれぞれ示す説明図である。
【図５】（ａ）〜（ｄ）は、本発明の建築物用防水構造に用い得る、本発明の建築物用防水パネルの第２実施形態の具体的な形状例を示すパネルの断面図である。
【図６】（ａ）〜（ｄ）は、上記第２実施形態の建築物用防水パネル１１を用いた、本発明の建築物用防水構造の第２実施形態の四種類の実施例を示す、パネルの端部の接合部の断面図である。
【図７】（ａ）〜（ｄ）は、上記四種類の実施例のうち図６（ａ）に示す実施例の建築物用防水構造の施工方法を示す説明図である。
【図８】（ａ）〜（ｄ）は、上記四種類の実施例のうち図６（ｂ）に示す実施例の建築物用防水構造の施工方法を示す説明図である。
【図９】上記四種類の実施例のうち図６（ｄ）に示す実施例の建築物用防水構造の施工方法を示す説明図である。
【符号の説明】
【００５２】
１，１１  建築物用防水パネル
１ａ  窪み
１ｂ  溝
１ｃ  リブ山
２  断熱材
２ａ  溝部
２ｂ  突部
３  鋼板（合成樹脂フィルムラミネート鋼板）
３ａ  段部
３ｂ，３ｅ，４ａ  突出部
３ｃ，３ｄ，４ｂ，４ｃ  端部
４  鋼板
５  合成樹脂フィルム
６  防水シート
１１ａ，１１ｃ  半部
１１ｂ  外側ハゼ形状
１１ｄ  内側ハゼ形状
１１ｅ  上側リブ形状
１１ｆ  下側リブ形状
１１ｇ，１１ｈ  フランジ部
１２  母屋
１３  固定金具
１４  タイトフレーム
１５  ねじ部材
１６  垂木
【図１】
2009121153.tif 000003
【図２】
2009121153.tif 000004
【図３】
2009121153.tif 000005
【図４】
2009121153.tif 000006
【図５】
2009121153.tif 000007
【図６】
2009121153.tif 000008
【図７】
2009121153.tif 000009
【図８】
2009121153.tif 000010
【図９】
2009121153.tif 000011